【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、基地局にチャネル選択支援のための測定値を報告するための構成を特定すること、ここにおいて、前記構成は、少なくとも１つの周波数チャネルに関する複数の測定期間を示す前記少なくとも１つの周波数チャネルに関する各々のタイミング情報を備える、と、
前記複数の測定期間中に前記少なくとも１つの周波数チャネルに関する受信電力の広帯域測定を実行することと、
前記少なくとも１つの周波数チャネルに関する各々のフィルタリングされた広帯域受信電力を得るために前記広帯域測定の値をフィルタリングすることと、
前記基地局に前記フィルタリングされた広帯域受信電力を報告することと、を備える、ワイヤレス通信の方法。
【請求項２】
前記複数の測定期間は、前記少なくとも１つの周波数チャネル上での前記基地局による送信にかかわらず前記広帯域測定が実行される時間間隔を備える、
請求項１に記載の方法。
【請求項３】
前記各々のタイミング情報に少なくとも部分的に基づいて前記少なくとも１つの周波数チャネルに関する前記複数の測定期間を特定することをさらに備え、ここにおいて、前記各々のタイミング情報は、前記ＵＥに関する不連続受信（ＤＲＸ）サイクル、前記複数の測定期間に関するタイミングを示す測定タイミング構成、またはセルに関する発見基準信号（ＤＲＳ）構成の１つまたは複数を備える、
請求項１に記載の方法。
【請求項４】
前記複数の測定期間中に前記少なくとも１つの周波数チャネルに関する前記広帯域測定を前記実行することは、サービス提供セルの帯域幅全体にわたって受信された合計電力、または前記ＵＥへの通信のために現在使用されていない前記少なくとも１つの周波数チャネルの候補周波数チャネルの帯域幅全体にわたって受信された合計電力の１つまたは複数を測定することを備える、
請求項１に記載の方法。
【請求項５】
前記基地局に前記フィルタリングされた広帯域受信電力を前記報告することをトリガする報告イベントを特定することをさらに備え、
ここにおいて、前記報告イベントは、前記基地局のサービス提供セルに関する広帯域受信測定値が第１のしきい値よりも大きいこと、前記サービス提供セルに関する前記広帯域受信測定値が第２のしきい値よりも小さいこと、前記基地局によって通信のために現在使用されていない前記少なくとも１つの周波数チャネルの候補周波数チャネルに関する広帯域受信測定値が第３のしきい値よりも小さいこと、または、前記候補周波数チャネルに関する広帯域受信測定値プラスオフセットが前記サービス提供セルに関する前記広帯域受信測定値よりも小さいことの１つまたは複数を備える、
請求項１に記載の方法。
【請求項６】
前記フィルタリングされた広帯域受信電力を前記報告することは、チャネル選択支援報告期間により前記フィルタリングされた広帯域受信電力を周期的に報告することを備える、
請求項１に記載の方法。
【請求項７】
前記少なくとも１つの周波数チャネルは、前記基地局によって通信のために現在使用されていない少なくとも１つの候補周波数チャネルを含む、または、前記少なくとも１つの周波数チャネルは、免許不要周波数帯域の１つまたは複数のチャネルを備える、
請求項１に記載の方法。
【請求項８】
ワイヤレス通信のための装置であって、
ユーザ機器（ＵＥ）において、基地局に少なくとも１つの周波数チャネルに関するチャネル選択支援のための測定値を報告するための構成を特定するための手段、ここにおいて、前記構成は、前記少なくとも１つの周波数チャネルに関する複数の測定期間を示す前記少なくとも１つの周波数チャネルに関する各々のタイミング情報を備える、と、
前記複数の測定期間中に前記少なくとも１つの周波数チャネルに関する広帯域測定を実行するための手段と、
前記少なくとも１つの周波数チャネルに関する各々のフィルタリングされた広帯域受信電力を得るために前記広帯域測定の値をフィルタリングするための手段と、
前記基地局に前記フィルタリングされた広帯域受信電力を報告するための手段と、を備える、ワイヤレス通信のための装置。
【請求項９】
ワイヤレス通信の方法であって、
基地局によって、少なくとも１つの周波数チャネルに関するチャネル選択支援のための測定値を報告するために少なくとも１つユーザ機器（ＵＥ）を構成すること、ここにおいて、前記構成することは、前記少なくとも１つの周波数チャネルに関する複数の測定期間を示す前記少なくとも１つの周波数チャネルに関する各々のタイミング情報を送信することを備える、と、
前記少なくとも１つＵＥから、前記各々のタイミング情報により測定されたＵＥ広帯域受信電力情報を受信することと、
前記ＵＥ広帯域受信電力情報に少なくとも部分的に基づいて前記基地局のセカンダリセルに関する周波数チャネルを特定することと、を備える、ワイヤレス通信の方法。
【請求項１０】
前記複数の測定期間の間前記少なくとも１つの周波数チャネル上での送信を抑制することをさらに備える、
請求項９に記載の方法。
【請求項１１】
前記少なくとも１つの周波数チャネルに関する電力を測定することによって基地局広帯域受信電力情報を決定することと、
前記基地局広帯域受信電力情報に少なくとも部分的に基づいて前記基地局の前記セカンダリセルに関する前記周波数チャネルを特定することと、をさらに備え、前記少なくとも１つのＵＥは、前記基地局のプライマリセルによってサービスが提供されている複数のＵＥを備え、および、ここにおいて、前記セカンダリセルに関する前記周波数チャネルを前記特定することは、前記基地局広帯域受信電力情報および前記受信されたＵＥ広帯域受信電力情報に少なくとも部分的に基づいて最低の結合された干渉レベルを有する周波数チャネルを決定することを備える、
請求項９に記載の方法。
【請求項１２】
前記各々のタイミング情報は、前記少なくとも１つのＵＥに関するＤＲＸサイクル、前記少なくとも１つの周波数チャネルに関する前記複数の測定期間に関するタイミングを示す測定タイミング構成、または前記少なくとも１つの周波数チャネルに関する発見基準信号（ＤＲＳ）構成の１つまたは複数を備える、
請求項９に記載の方法。
【請求項１３】
前記少なくとも１つのＵＥを前記構成することは、前記少なくとも１つのＵＥに、前記基地局によって通信のために現在使用されていない免許不要周波数帯域の候補周波数チャネルを特定する周波数情報、広帯域受信電力報告期間、フィルタリングされた広帯域受信電力を得るために測定された広帯域受信電力をフィルタリングするためのフィルタ係数、の任意のものまたはそれらの組み合わせを送信することを備える、
請求項９に記載の方法。
【請求項１４】
前記少なくとも１つの周波数チャネルは、前記基地局によって通信のために現在使用されていない免許不要周波数帯域の少なくとも１つの候補周波数チャネルを含む、
請求項９に記載の方法。
【請求項１５】
ワイヤレス通信のための装置であって、
基地局によって、少なくとも１つの周波数チャネルに関するチャネル選択支援のための測定値を報告するために少なくとも１つのユーザ機器（ＵＥ）を構成するための手段、ここにおいて、前記構成することは、前記少なくとも１つの周波数チャネルに関する複数の測定期間を示す前記少なくとも１つの周波数チャネルに関する各々のタイミング情報を送信することを備える、と、
前記少なくとも１つのＵＥから、前記各々のタイミング情報により測定されたＵＥ広帯域受信電力情報を受信するための手段と、
前記ＵＥ広帯域受信電力情報に少なくとも部分的に基づいて前記基地局のセカンダリセルに関する周波数チャネルを特定するための手段と、を備える、ワイヤレス通信のための装置。